(57)【要約】【課題】  従来と比べて低コストで設備機器の動作を監視する技術を提供することにある。【解決手段】  ループ状の伝送路に配置され、伝送路の一端に複数の周波数を多重した多重信号を出力し、伝送路を伝送してきた多重信号を伝送路の他端より受信する監視装置と、伝送路に配置される少なくとも１つの設備機器と、設備機器に接続され、接続された設備機器に対応する所定の周波数帯域の信号を除去する濾波器と、を備え、設備機器は、設備機器の動作に応じて、伝送路との接続を遮断して、伝送路を設備機器に接続される濾波器に接続するスイッチ部をさらに備え、監視装置は、受信した多重信号に含まれる周波数成分に基づいて設備機器の動作を監視する。【選択図】    図１
2014160959.tif 000002
【特許請求の範囲】
【請求項１】
ループ状の伝送路に配置され、前記伝送路の一端に複数の周波数を多重した多重信号を出力し、前記伝送路を伝送してきた前記多重信号を前記伝送路の他端より受信する監視装置と、
前記伝送路に配置される少なくとも１つの設備機器と、
前記各設備機器に接続され、接続された設備機器に対応する所定の周波数帯域の信号を除去する濾波器と、を備え、
前記各設備機器は、
前記各設備機器の動作に応じて、前記伝送路との接続を遮断して、前記伝送路を前記各設備機器に接続される前記濾波器に接続するスイッチ部をさらに備え、
前記監視装置は、受信した前記多重信号に含まれる周波数成分に基づいて前記各設備機器の動作を監視する
ことを特徴とする監視システム。
【請求項２】
請求項１に記載の監視システムにおいて、
前記伝送路上に配置され前記多重信号を中継するとともに、前記伝送路を伝送することにより生じする前記多重信号の波形の歪みを補正する補正部を有する少なくとも１つの中継装置を備える
ことを特徴とする監視システム。
【請求項３】
請求項２に記載の監視システムにおいて、
前記監視装置は、前記所定の周波数帯域と、前記所定の周波数帯域とは異なる周波数のパイロット信号とを多重し、
前記中継装置は、
前記パイロット信号の強度を検出する検出部をさらに備え、
前記補正部は、検出された前記強度に基づいて、前記多重信号の波形の歪みを補正する
ことを特徴とする監視システム。
【請求項４】
請求項２または請求項３に記載の監視システムにおいて、
前記中継装置は、
前記伝送路における周波数特性を示す情報を記憶する記憶部をさらに備え、
前記補正部は、前記周波数特性を示す情報に基づいて、前記多重信号の波形の歪みを補正する
ことを特徴とする監視システム。
【請求項５】
請求項１ないし請求項４のいずれか１項に記載の監視システムにおいて、
前記各設備機器は、
所定の測定対象を測定する測定部をさらに備え、
前記各設備機器は、前記測定部により測定された測定値と閾値との比較に応じて、前記スイッチ部を制御する
ことを特徴とする監視システム。
【請求項６】
所定の周波数帯域を除去する濾波器が接続された少なくとも１つの設備機器が配置されたループ状の伝送路の一端に複数の周波数を多重した多重信号を出力する送信部と、
前記各設備機器または前記各設備機器に接続される前記濾波器を介して前記伝送路を伝送してきた前記多重信号を前記伝送路の他端より受信する受信部と、
受信した前記多重信号に含まれる周波数成分に基づいて前記各設備機器の動作を監視する制御部と、
を備えることを特徴とする監視装置。
【発明の詳細な説明】
【技術分野】
【０００１】
本発明は、監視システムおよび監視装置に関する。
【背景技術】
【０００２】
従来、各種の電気機器が設置される施設内において、機器に接続されるモデムは、既存の電力線を用いて、各機器の動作状態を示す情報を監視装置に送信する（例えば、特許文献１参照）。
【先行技術文献】
【特許文献】
【０００３】
【特許文献１】特開２００５−３１２１１２号公報
【発明の概要】
【発明が解決しようとする課題】
【０００４】
しかしながら、従来技術では、電力線等の伝送路の距離が長くなくなるに従い、各機器の動作状態を示す情報の信号がノイズの影響を受ける。しかしながら、電線を耐ノイズ性を有する光ファイバ等に変更するには莫大なコストがかかる。
【０００５】
本件開示の監視システムおよび監視装置は、従来と比べて低コストで設備機器の動作を監視することができる技術を提供することを目的とする。
【課題を解決するための手段】
【０００６】
一の観点によれば、監視システムは、ループ状の伝送路に配置され、伝送路の一端に複数の周波数を多重した多重信号を出力し、伝送路を伝送してきた多重信号を伝送路の他端より受信する監視装置と、伝送路に配置される少なくとも１つの設備機器と、各設備機器に接続され、接続された設備機器に対応する所定の周波数帯域の信号を除去する濾波器と、を備え、各設備機器は、各設備機器の動作に応じて、伝送路との接続を遮断して、伝送路を各設備機器に接続される濾波器に接続するスイッチ部をさらに備え、監視装置は、受信した多重信号に含まれる周波数成分に基づいて各設備機器の動作を監視する。
【０００７】
一の観点によれば、監視装置は、所定の周波数帯域を除去する濾波器が接続された少なくとも１つの設備機器が配置されたループ状の伝送路の一端に複数の周波数を多重した多重信号を出力する送信部と、各設備機器または各設備機器に接続される濾波器を介して伝送路を伝送してきた多重信号を伝送路の他端より受信する受信部と、受信した多重信号に含まれる周波数成分に基づいて各設備機器の動作を監視する制御部と、を備える。
【発明の効果】
【０００８】
本件開示の監視システムおよび監視装置は、従来と比べて低コストで設備機器の動作を監視することができる。
【図面の簡単な説明】
【０００９】
【図１】監視システムの一の実施形態を示す図である。
【図２】図１に示す監視装置を示す図である。
【図３】図１に示す設備機器の例を示す図である。
【図４】図２に示す監視装置の送信部から出力される周波数分割多重信号の一例を示す図である。
【図５】図２に示した監視装置の動作を示す図である。
【図６】図３に示した設備機器の動作を示す図である。
【図７】監視システムの別の実施形態を示す図である。
【図８】図７に示す中継装置を示す図である。
【図９】図７に示した監視装置の動作を示す図である。
【図１０】図７に示した中継装置および設備機器の動作を示す図である。
【発明を実施するための形態】
【００１０】
以下、図面に基づいて、実施形態について説明する。
【００１１】
図１は、監視システムの一の実施形態を示す。
【００１２】
図１に示す監視システム１００は、監視装置１０、設備機器２０（２０（１）−２０（ｎ））、伝送路３０（３０（１）−３０（ｎ＋１））および各設備機器に接続される濾波器４０を有する（ｎは正の整数）。図１に示すように、例えば、設備機器２０（１）−２０（ｎ）は、伝送路３０（１）−３０（ｎ＋１）を用いて直列に接続され、伝送路３０（１）と伝送路３０（ｎ＋１）との一端が監視装置１０に接続され、監視システム１００の伝送路３０はループを形成する。なお、設備機器２０は、伝送路３０上に少なくとも１つが配置されればよい。
【００１３】
設備機器２０は、例えば、電力量計、遮断器、雨量計、温度計または風速計等の測定機器である。また、設備機器２０は、例えば、電力量計、遮断器、雨量計、温度計または風速計等の測定機器の複数の機能を有してもよい。
【００１４】
伝送路３０は、例えば、施設内に既に配置された電線等であり、伝送路３０として流用する。これにより、監視システム１００は、光ファイバ等に置き換える場合に比べて、低コストで構築することができる。
【００１５】
濾波器４０は、各設備機器２０に接続され、接続された設備機器２０に対応する所定の周波数帯域の信号を除去するバンドストップフィルタである。なお、濾波器４０については、図３および図４において詳細に説明する。
【００１６】
図２は、図１に示す監視装置１０を示す。監視装置１０は、図２に示すように、制御部１１、メモリ１２、送信部１３、受信部１４および検出部１５を有する。また、監視装置１０は、内蔵するインタフェースを介して、例えば、液晶モニタやプリンタ等の出力装置１６を接続する。
【００１７】
例えば、制御部１１は、ＲＯＭ（Read Only Memory）等のメモリ１２に記憶されている制御プログラムを実行することにより、監視装置１０の各部を統括的に制御するプロセッサである。例えば、制御部１１は、図５で説明するように、送信部１３により伝送路３０に出力する周波数分割多重化（ＦＤＭ：Frequency Division Multiplexing）信号を用いて、設備機器２０の動作状態を示す接点情報を取得する。制御部１１は、取得した接点情報に基づいて、設備機器２０（１）−２０（ｎ）の動作を監視し制御する。また、制御部１１は、取得した各設備機器２０の接点情報を出力装置１６に出力し、施設の管理者等に通知する。なお、ＦＤＭ信号は、多重信号の一例を示す。
【００１８】
送信部１３は、伝送路３０上に配置された各設備機器２０を制御する制御部１１からの制御信号とともに、各設備機器２０の接点情報を取得するためのＦＤＭ信号を出力する。なお、ＦＤＭ信号については、図４で説明する。
【００１９】
受信部１４は、各設備機器２０によって測定された電力量や雨量等の測定値を示す信号とともに、送信部１３より出力され伝送路３０を伝送してきたＦＤＭ信号を伝送路３０（ｎ＋１）より受信する。
【００２０】
検出部１５は、図４で説明するように、受信されたＦＤＭ信号に多重される周波数Ｆ０のパイロット信号の強度を検出する。
【００２１】
図３は、図１に示す設備機器２０（ｋ）の例を示す。図３に示す設備機器２０（ｋ）は、正の整数で、１≦ｋ≦ｎである。すなわち、図１に示した設備機器２０（１）−２０（ｎ）は、図３に示すような互いに同一または同様の要素を有する。
【００２２】
設備機器２０（ｋ）は、図３に示すように、制御部２１、メモリ２２、測定部２３、リレー回路２４ａ，２４ｂ、受信部２５および送信部２６を有する。さらに、設備機器２０（ｋ）には、リレー回路２４ａ，２４ｂを介して濾波器４０が接続される。
【００２３】
例えば、制御部２１は、ＲＯＭ等のメモリ２２に記憶されている制御プログラムを実行することにより、設備機器２０（ｋ）の各部を統括的に制御したり、各部の故障等を検出するプロセッサである。
【００２４】
測定部２３は、設備機器２０（ｋ）が、電力量計、遮断器、雨量計、温度計、あるいは風速計等の測定機器として動作するために、電力量、電流量、雨量、温度あるいは風速等の少なくとも１つの測定対象を測定する。測定部２３は、測定値を監視装置１０に通知するために、送信部２６を介して測定値を示す信号を伝送路３０（ｋ＋１）に出力する。
【００２５】
リレー回路２４ａ，２４ｂは、制御部２１の制御指示に応じて以下に示す切り替え動作を行う。リレー回路２４ａ，２４ｂは、スイッチ部の一例を示し、例えば、切り替え接点（ｃ接点）のスイッチである。リレー回路２４ａ，２４ｂは、図３に示すように、通常、接点を設備機器２０（ｋ）側に接続し、濾波器４０側を開状態にする。しかしながら、例えば、制御部２１は、設備機器２０（ｋ）内の故障を検出し、あるいは測定部２３が所定の閾値を超える値を測定した場合、設備機器２０（ｋ）に異常が発生したと判定する。制御部２１は、リレー回路２４ａ，２４ｂの接点を、濾波器４０側に切り替えて濾波器４０を閉状態にする。なお、所定の閾値とは、例えば、測定部２３が電力計の場合、測定可能な範囲の上限値または下限値であり、測定部２３が雨量計の場合、土砂崩れ等を警戒すべき雨量等である。
【００２６】
設備機器２０（１）の受信部２５は、監視装置１０からの制御信号とともに、ＦＤＭ信号を伝送路３０（１）より受信する。設備機器２０（ｋ）の受信部２５は（ｋは２からｎ）、監視装置１０からの制御信号および設備機器２０（１）−２０（ｋ−１）からの測定値を示す信号とともに、ＦＤＭ信号を伝送路３０（ｋ）より受信する。
【００２７】
設備機器２０（１）の送信部２６は、受信した監視装置１０からの制御信号およびＦＤＭ信号とともに、設備機器２０（１）の測定部２３による測定値を示す信号を伝送路３０（２）に出力する。設備機器２０（ｋ）の送信部２６は（ｋは２からｎ）、監視装置１０からの制御信号、設備機器２０（１）−２０（ｋ−１）からの測定値を示す信号およびＦＤＭ信号を伝送路３０（ｋ＋１）に出力する。また、設備機器２０（ｋ）の送信部２６は、設備機器２０（ｋ）の測定部２３による測定値を示す信号を伝送路３０（ｋ＋１）に出力する。
【００２８】
なお、設備機器２０（１）の受信部２５および送信部２６は、少なくともＦＤＭ信号を伝送路３０（１）から伝送路３０（２）にそのまま出力するのが好ましい。また、設備機器２０（ｋ）の受信部２５および送信部２６は（ｋは２からｎ）、少なくとも設備機器２０（１）−２０（ｋ−１）からの測定値を示す信号およびＦＤＭ信号を伝送路３０（ｋ）から伝送路３０（ｋ＋１）にそのまま出力するのが好ましい。
【００２９】
例えば、濾波器４０は、監視装置１０から出力されたＦＤＭ信号のうち、設備機器２０（１）−２０（ｎ）ごとに設定される互いに異なる所定の周波数帯域の信号を除去するバンドストップフィルタである。
【００３０】
ここで、監視装置１０の送信部１３から出力されるＦＤＭ信号について、図４を参照して説明する。
【００３１】
図４は、図２で示す監視装置１０の送信部１３から出力される周波数分割多重信号の一例を示す。図４（ａ）は、送信部１３から出力されるＦＤＭ信号の一例を示す。図４（ａ）に示すように、ＦＤＭ信号は、例えば、互いに重なり合わない所定の半値全幅 (ＦＷＨＭ：full width at half maximum) を有する周波数帯域の信号を周波数多重したものである。なお、以下の説明において、中心周波数がｆ１−ｆｎで所定の半値全幅を有する周波数帯域の信号をチャンネルｃｈ（１）−ｃｈ（ｎ）と称する。すなわち、濾波器４０は、対応する設備機器２０ごとにいずれかのチャンネルｃｈ（ｃｈ（１）−ｃｈ（ｎ））が予め割り当てられる。また、各チャンネルｃｈの中心周波数での信号の強度はＰ０と共通である。また、ＦＤＭ信号は、図４に示すように、伝送路３０を伝送する間に生じるＦＤＭ信号の強度変動を監視装置１０の検出部１５が検出するために、チャンネルｃｈ（１）−ｃｈ（ｎ）とは異なる周波数帯域に中心周波数Ｆ０のパイロット信号を有する。
【００３２】
例えば、設備機器２０（ｋ）の制御部２１は、設備機器２０（ｋ）の故障の検出、あるいは測定部２３の測定値に基づいて、設備機器２０（ｋ）の異常を検出すると、リレー回路２４ａ，２４ｂの接点を切り替え濾波器４０側を閉状態にする。伝送路３０（ｋ），３０（ｋ＋１）に接続された濾波器４０は、図４（ｂ）に示すように、ＦＤＭ信号からチャンネルｃｈ（ｋ）の周波数帯域の信号を除去する。濾波器４０は、チャンネルｃｈ（ｋ）の周波数帯域を除去したＦＤＭ信号を、設備機器２０（ｋ）が閉状態に設定されたことを示す接点情報として伝送路３０（ｋ＋１）に出力する。そして、監視装置１０の制御部１１は、受信部１４より受信したＦＤＭ信号におけるチャンネルｃｈ（ｋ）の周波数帯域が除去されていることに基づいて、設備機器２０（ｋ）が閉状態、すなわち異常が発生したとする接点情報を取得する。
【００３３】
一方、設備機器２０（ｋ）が通常動作の場合、リレー回路２４ａ，２４ｂの接点は設備機器２０（ｋ）側に接続され、濾波器４０側を開状態に維持され、濾波器４０は伝送路３０（ｋ），３０（ｋ＋１）に接続されない。このため、ＦＤＭ信号は、濾波器４０によるチャンネルｃｈ（ｋ）の周波数帯域の信号を含んだ状態で、伝送路３０（ｋ＋１）にそのまま出力される。その結果、監視装置１０の制御部１１は、受信部１４より受信したＦＤＭ信号がチャンネルｃｈ（ｋ）の周波数帯域を有することから、設備機器２０（ｋ）が開状態、すなわち正常であるとする接点情報を取得する。
【００３４】
次に、監視システム１００による監視動作について、図５，６を参照して説明する。
【００３５】
図５は、図２に示した監視装置１０の動作を示し、図６は、図３に示した設備機器２０（ｋ）の動作を示す。図５に示す動作は、監視装置１０の制御部１１がプログラムを実行し、送信部１３、受信部１４、検出部１５および出力装置１６を制御することにより実現される。図６に示す動作は、各設備機器２０（ｋ）の制御部２１がプログラムを実行し、測定部２３、リレー回路２４ａ，２４ｂ、受信部２５および送信部２６を制御することにより実現される。
【００３６】
ステップＳ１０１において、監視装置１０の制御部１１は、送信部１３に各設備機器２０（ｋ）に対する制御信号とともに、ＦＤＭ信号を伝送路３０（１）に出力させる。なお、本実施形態では、送信部１３が出力するＦＤＭ信号は、例えば、０．３ｋＨｚ（キロヘルツ）から３．４ｋＨｚの音声帯域の周波数帯域を周波数分割多重した信号である。また、チャンネルｃｈの数は、ＦＤＭ信号に多重される周波数帯域の幅や濾波器４０の周波数特性に応じて決定されることが好ましく、例えば、０．３ｋＨｚから３．４ｋＨｚの音声帯域の場合、５０チャンネル程度のチャンネル数が設定される。
【００３７】
また、ステップＳ２０１において、設備機器２０（ｋ）の制御部２１は、測定部２３に電力量等の所定の測定対象を測定させる。ステップＳ２０２において、制御部２１は、設備機器２０（ｋ）内で故障を検出し、あるいは測定部２３の測定値が所定の閾値を超える値か否かに基づいて、設備機器２０（ｋ）の動作が正常か否かを判定する。制御部２１による制御は、設備機器２０（ｋ）の動作が正常の場合、ステップＳ２０３（ＹＥＳ側）に移行し、設備機器２０（ｋ）の動作が異常の場合、ステップＳ２０４（ＮＯ側）に移行する。ステップＳ２０３において、制御部２１は、測定部２３により測定された測定値を監視装置１０に通知するために、送信部２６を介して測定値を示す信号を伝送路３０（ｋ＋１）に出力する。一方、ステップＳ２０４において、制御部２１は、リレー回路２４ａ，２４ｂの接点を濾波器４０側に切り替えて濾波器４０側を閉状態にする。リレー回路２４ａ，２４ｂの接点の閉状態への切り替えに基づいて、濾波器４０は、伝送路３０（ｋ）から受信したＦＤＭ信号のうち、チャンネルｃｈ（ｋ）に対応する周波数帯域の信号を除去する。濾波器４０は、チャンネルｃｈ（ｋ）の周波数帯域の信号を除去したＦＤＭ信号を伝送路３０（ｋ＋１）に出力する。
【００３８】
一方、図５のステップＳ１０２において、監視装置１０の受信部１４は、各設備機器２０（ｋ）からの測定値を示す信号とともに、伝送路３０（１）−３０（ｎ＋１）を伝送してきたＦＤＭ信号を受信する。受信部１４は、受信したＦＤＭ信号を検出部１５に出力する。
【００３９】
ステップＳ１０３において、監視装置１０の検出部１５は、ＦＤＭ信号に多重された中心周波数Ｆ０のパイロット信号の強度を検出する。
【００４０】
ステップＳ１０４において、制御部１１は、検出部１５により検出された周波数Ｆ０のパイロット信号の強度が許容値以上であるか否かを判定する。制御部１１の処理は、強度が許容値以上の場合、ステップＳ１０５（ＹＥＳ側）に移行し、強度が許容値より小さい場合、ステップＳ１０７（ＮＯ側）に移行する。なお、許容値は、例えば、強度Ｐ０の２分の１等、監視システム１００の伝送ロス等に応じて適宜決定されることが好ましい。
【００４１】
ステップＳ１０５において、制御部１１は、パイロット信号の強度が許容値以上であることに基づいて、伝送路３０（１）−３０（ｎ＋１）が正常であると判定し、受信した各設備機器２０の測定値を取得する。また、制御部１１は、ＦＤＭ信号における各チャンネルｃｈの周波数帯域の信号の状態に応じて、各チャンネルｃｈに対応する設備機器２０の接点情報を取得する。
【００４２】
次に、ステップＳ１０６において、制御部１１は、取得した各設備機器２０の接点情報に基づいて、各設備機器２０（ｋ）の動作状態および測定値を出力装置１６に表示する。制御部１１は、取得した各設備機器２０の接点情報に基づいて、各設備機器２０に対する新たな制御信号を生成する。なお、出力装置１６に設備機器２０（ｋ）の濾波器４０側を閉状態を示す接点情報が表示された場合、例えば、施設の管理者等は、表示に従い設備機器２０（ｋ）が故障か否か、あるいは異常な値が測定された原因を確認する。管理者等は、例えば、設備機器２０（ｋ）が故障の場合、設備機器２０の復旧作業を行う。あるいは、例えば、異常な値が測定された原因が過負荷や大雨等の場合、管理者等は、設備機器２０（ｋ）における配線状態や設備機器２０（ｋ）の設置個所における施設の状態を確認し監視する。
【００４３】
一方、ステップＳ１０７において、制御部１１は、パイロット信号の強度が許容値より小さいことに基づいて、伝送路３０（１）−３０（ｎ＋１）のいずれかにおいて断線等の障害が発生したと判定する。制御部１１は、監視システム１００を管理する管理者等に警告する情報を出力装置１６に出力する。管理者等は、警告の表示に従い伝送路３０の復旧作業を行う。制御部１１は、一連の処理を終了する。
【００４４】
なお、監視装置１０は、例えば、数ミリ秒から数秒の所定の時間間隔ごと、あるいは定常的に送信部１３にＦＤＭ信号を出力させ、図５，６に示した監視動作を行うことが好ましい。
【００４５】
本実施形態では、施設内に既に設置された電線等の伝送路３０を流用して、監視装置１０および濾波器４０が接続された設備機器２０をループ状に接続する。濾波器４０が、設備機器２０の動作状態に応じて、ＦＤＭ信号のうち割り当てられた所定の周波数帯域の信号を除去することで、従来と比べて低コストで、各設備機器２０の動作を監視できる。
【００４６】
また、監視装置１０の制御部１１は、受信したＦＤＭ信号において各チャンネルｃｈの信号があるか否かに基づいて、各設備機器２０（ｋ）の接点情報を取得する。したがって、ＦＤＭ信号が伝送路３０を伝送中にノイズの影響を受けたとしても、監視装置１０は、各設備機器２０（ｋ）の接点情報を確実に取得でき、監視システム１００は、従来に比べて耐ノイズ性を有する。
【００４７】
さらに、監視装置１０の送信部１３が、ＦＤＭ信号に中心周波数Ｆ０のパイロット信号を多重することにより、監視システム１００の伝送路３０における障害の発生を検出することができる。
【００４８】
なお、本実施形態では、図４（ｂ）に示すように、濾波器４０が、対応するチャンネルの周波数帯域の信号を完全に除去したが、これに限定されない。例えば、濾波器４０による対応するチャンネルの周波数帯域の信号の除去が、隣接するチャンネルの周波数帯域の信号に影響を与える場合、濾波器４０は、対応するチャンネルの中心周波数を中心とする一部の周波数帯域の信号を除去してもよい。この場合、例えば、監視装置１０の検出部１５は、各チャンネルｃｈの信号の強度を検出し、制御部１１は、各チャンネルの周波数帯域の信号の強度が閾値以下か否かに応じて除去されたか否かを判定することが好ましい。
【００４９】
なお、本実施形態では、濾波器４０は、設備機器２０の外部に設置され、設備機器２０に接続されたが、これに限定されず、濾波器４０は、設備機器２０の内部に配置されてもよい。
【００５０】
次に、図７は、監視システムの別の実施形態を示す。図７に示す監視システム２００の各要素において、図１に示す監視システム１００の要素と同一または同等の機能を有するものについては、同一の符号を付し説明は省略する。図７に示す監視システム２００では、設備機器２０（ｋ）と設備機器２０（ｋ＋１）との間の伝送路３０（ｋ＋１）上に、中継装置５０が配置される。なお、図７に示すように、設備機器２０（ｋ）と中継装置５０とを接続する伝送路を伝送路３０ａ（ｋ＋１）と称し、中継装置５０と設備機器２０（ｋ＋１）とを接続する伝送路を伝送路３０ｂ（ｋ＋１）と称する。
【００５１】
また、図７に示す設備機器２０（１）−２０（ｎ）は、図２に示す設備機器２０（ｋ）と同一または同様の要素を有する。したがって、図７に示す設備機器２０（１）−２０（ｎ）についての説明は省略する。
【００５２】
また、本実施形態では、中継装置５０は、設備機器２０（ｋ）と設備機器２０（ｋ＋１）との間の伝送路３０（ｋ＋１）上に配置したが、これに限定されず、他の伝送路３０上に配置されてもよい。また、中継装置５０は、伝送路３０（１）−３０（ｎ＋１）上の２個所以上に配置されてもよい。
【００５３】
図８は、図７に示す中継装置５０を示す。図８に示すように、中継装置５０は、制御部５１、メモリ５２、受信部５３、検出部５４、補正部５５および送信部５６を有する。
【００５４】
例えば、制御部５１は、ＲＯＭ等のメモリ５２に記憶されている制御プログラムを実行することにより、中継装置５０の各部を統括的に制御するプロセッサである。
【００５５】
受信部５３は、伝送路３０ａ（ｋ＋１）を介して、監視装置１０からの制御信号および設備機器２０（１）−２０（ｋ）からの測定値を示す信号とともに、ＦＤＭ信号を受信する。
【００５６】
検出部５４は、受信部５３により受信されたＦＤＭ信号に多重された各チャンネルｃｈの中心周波数における強度および中心周波数Ｆ０のパイロット信号の強度を検出する。
【００５７】
補正部５５は、検出部５４の検出結果に基づいて、パイロット信号の強度が所定の強度となるようにＦＤＭ信号を増幅する。例えば、メモリ５２は、監視装置１０の送信部１３から出力される際のパイロット信号の強度Ｐ０の情報を記憶し、補正部５５は、メモリ５２の情報と検出部５４の検出結果に基づいて、パイロット信号の強度が出力時の強度Ｐ０となるようにＦＤＭ信号を増幅する。また、例えば、補正部５５は、伝送路３０（１）−３０ａ（ｋ＋１）を伝送中に受けるノイズを除去するローパスフィルタ等を有し、ＦＤＭ信号に重畳するノイズを除去する。
【００５８】
さらに、メモリ５２は、ＦＤＭ信号が伝送路３０（１）−３０ａ（ｋ＋１）を伝送中に受ける影響に関する周波数特性データを記憶することが好ましい。記憶される周波数特性データは、例えば、各チャンネルｃｈの中心周波数の信号が伝送路３０（１）−３０ａ（ｋ＋１）を伝送中に受ける、予め測定された減衰率の一覧である。補正部５５は、検出部５４の検出結果とメモリ５２の周波数特性データとに基づいて、各チャンネルｃｈの中心周波数の強度が強度Ｐ０で、周波数分布が図４に示す波形となるように補正する。ただし、補正部５５は、検出部５４によりチャンネルｃｈの中心周波数の強度がノイズレベル等の所定の強度以下の場合、そのチャンネルｃｈの周波数帯域の信号は濾波器４０によって除去されたと判定し、波形の補正処理を施さないことが好ましい。また、メモリ５２は、記憶部の一例を示し、周波数特性データは、周波数特性を示す情報の一例である。
【００５９】
なお、補正部５５は、監視装置１０からの制御信号および設備機器２０（１）−２０（ｋ）からの測定値を示す信号に対しては、増幅処理およびノイズ除去処理を施さないことが好ましいが、施してもよい。
【００６０】
送信部５６は、監視装置１０からの制御信号および設備機器２０（１）−２０（ｋ）からの測定値を示す信号とともに、補正部５５により補正されたＦＤＭ信号を伝送路３０ｂ（ｋ＋１）に出力する。
【００６１】
次に、監視システム２００による監視動作について、図９，１０を参照して説明する。
【００６２】
図９は、図２に示した監視装置１０の動作を示し、図１０は、図８に示した中継装置５０および図３に示した設備機器２０（ｋ）の動作を示す。図９に示す動作は、監視装置１０の制御部１１がプログラムを実行し、送信部１３、受信部１４、検出部１５および出力装置１６を制御することにより実現される。図６に示す中継装置５０の動作は、制御部５１がプログラムを実行し、受信部５３、検出部５４、補正部５５および送信部５６を制御することにより実現される。また、図６に示す各設備機器２０（ｋ）の動作は、制御部２１がプログラムを実行し、測定部２３、リレー回路２４ａ，２４ｂ、受信部２５および送信部２６を制御することにより実現される。なお、図９，１０において、図５，６と同一または同様の処理を行うステップは、同一のステップ番号を付し詳細な説明は省略する。
【００６３】
ただし、図１０に示すステップＳ２０３ａにおいて、設備機器２０（ｋ）の測定部２３は、送信部２６を介して測定値を示す信号を伝送路３０ａ（ｋ＋１）に出力する。また、ステップＳ２０４ａにおいて、濾波器４０は、伝送路３０（ｋ）から受信したＦＤＭ信号のうち、チャンネルｃｈ（ｋ）の周波数帯域の信号を除去する。濾波器４０は、チャンネルｃｈ（ｋ）の周波数帯域の信号を除去したＦＤＭ信号を伝送路３０ａ（ｋ＋１）に出力する。
【００６４】
ステップＳ３０１において、中継装置５０の受信部５３は、設備機器２０（ｋ）により出力された監視装置１０からの制御信号、設備機器２０（１）−２０（ｋ）からの測定値を示す信号およびＦＤＭ信号を受信する。
【００６５】
ステップＳ３０２において、検出部５４は、受信したＦＤＭ信号に多重された各チャンネルｃｈの中心周波数における強度および中心周波数Ｆ０のパイロット信号の強度を検出する。
【００６６】
ステップＳ３０３において、補正部５５は、検出部５４の検出結果とメモリ５２のパイロット信号の出力時の強度Ｐ０および周波数特性データとに基づいて、各チャンネルｃｈの中心周波数の強度が強度Ｐ０で、周波数分布が図４に示す波形となるように補正する。
【００６７】
ステップＳ３０４において、送信部５６は、監視装置１０からの制御信号および設備機器２０（１）−２０（ｋ）からの測定値を示す信号とともに、補正部５５により補正されたＦＤＭ信号を伝送路３０ｂ（ｋ＋１）に出力する。
【００６８】
本実施形態では、施設内に既に設置された電線等の伝送路３０を流用して、監視装置１０および濾波器４０が接続された設備機器２０をループ状に接続する。濾波器４０が、設備機器２０の動作状態に応じて、ＦＤＭ信号のうち割り当てられた所定の周波数帯域の信号を除去することで、従来と比べて低コストで、各設備機器２０の動作を監視できる。
【００６９】
また、監視装置１０の制御部１１は、受信したＦＤＭ信号において各チャンネルｃｈの信号があるか否かに基づいて、各設備機器２０（ｋ）の接点情報を取得する。したがって、ＦＤＭ信号が伝送路３０を伝送中にノイズの影響を受けたとしても、監視装置１０は、各設備機器２０（ｋ）の接点情報を確実に取得でき、監視システム２００は、従来に比べて耐ノイズ性を有する。
【００７０】
また、中継装置５０を配置し、補正部５５が、パイロット信号の強度および周波数特性データに基づいて、ＦＤＭ信号を補正することで、従来と比べて監視品質および耐ノイズ性の向上を図ることができる。
【００７１】
さらに、監視装置１０の送信部１３が、ＦＤＭ信号に中心周波数Ｆ０のパイロット信号を多重することにより、監視システム２００の伝送路３０における障害の発生を検出することができる。
【００７２】
なお、本実施形態では、図４（ｂ）に示すように、濾波器４０が、対応するチャンネルの周波数帯域の信号を完全に除去したが、これに限定されない。例えば、濾波器４０による対応するチャンネルの周波数帯域の信号の除去が、隣接するチャンネルの周波数帯域の信号に影響を与える場合、濾波器４０は、対応するチャンネルの中心周波数を中心とする一部の周波数帯域の信号を除去してもよい。この場合、例えば、監視装置１０の検出部１５は、各チャンネルｃｈの信号の強度を検出し、制御部１１は、各チャンネルの周波数帯域の信号の強度が閾値以下か否かに応じて除去されたか否かを判定することが好ましい。
【００７３】
なお、本実施形態では、濾波器４０は、設備機器２０の外部に設置され、設備機器２０に接続されたが、これに限定されず、濾波器４０は、設備機器２０の内部に配置されてもよい。
【００７４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００７５】
１０…監視装置；１１，２１，５１…制御部；１２，２２，５２…メモリ；１３，２６，５６…送信部；１４，２５，５３…受信部；１５，５４…検出部；１６…出力装置；２０（１）−２０（ｎ）…設備機器；２３…測定部；２４ａ，２４ｂ…リレー回路；３０（１）−３０（ｎ＋１）…伝送路；４０…濾波器；５０…中継装置；５５…補正部；１００，２００…監視システム
【図１】
2014160959.tif 000003
【図２】
2014160959.tif 000004
【図３】
2014160959.tif 000005
【図４】
2014160959.tif 000006
【図５】
2014160959.tif 000007
【図６】
2014160959.tif 000008
【図７】
2014160959.tif 000009
【図８】
2014160959.tif 000010
【図９】
2014160959.tif 000011
【図１０】
2014160959.tif 000012